(57)【特許請求の範囲】
【請求項１】
伝送されてくる番組を受信する受信手段と、
前記受信手段が受信した番組が、所定の商品、サービスなどを宣伝するコマーシャル番組であるか否かを判定するコマーシャル判定手段と、
前記コマーシャル判定手段によりコマーシャル番組であると判定された番組が、視聴者の応答を要求する応答番組であるか否かを判定する応答番組判定手段と、
前記応答番組の応答要求に対する視聴者の応答に対応してポイントを演算し、記録させる記録手段と
を備えることを特徴とする情報受信装置。
【請求項２】
視聴者が前記応答番組の応答要求に対して応答したか否かを判定する応答判定手段をさらに備える
ことを特徴とする請求項１に記載の情報受信装置。
【請求項３】
前記記録手段は、前記応答番組判定手段により、前記受信手段が受信した番組が前記応答番組であると判定されたとき、その応答番組を特定する特定情報を記録させる
ことを特徴とする請求項１に記載の情報受信装置。
【請求項４】
前記記録手段は、視聴者の応答内容も記録させる
ことを特徴とする請求項１に記載の情報受信装置。
【請求項５】
前記記録手段の記録内容を伝送する伝送手段を
さらに備えることを特徴とする請求項１に記載の情報受信装置。
【請求項６】
前記受信手段が受信した番組が有料番組であるか否かを判定する有料番組判定手段と、
前記番組が有料番組であるとき、前記記憶手段に記憶されているポイントに対して課金に関する処理を行う処理手段と
をさらに備えることを特徴とする請求項１に記載の情報受信装置。
【請求項７】
伝送されてくる番組を受信する受信ステップと、
前記受信ステップで受信した番組が、所定の商品、サービスなどを宣伝するコマーシャル番組であるか否かを判定するコマーシャル判定ステップと、
前記コマーシャル判定ステップでコマーシャル番組であると判定された番組が、視聴者の応答を要求する応答番組であるか否かを判定する応答番組判定ステップと、
前記応答番組の応答要求に対する視聴者の応答に対応してポイントを演算し、記録させる記録ステップと
を備えることを特徴とする情報受信方法。
【請求項８】
伝送されてくる番組を受信する受信ステップと、
前記受信ステップで受信した番組が、所定の商品、サービスなどを宣伝するコマーシャル番組であるか否かを判定するコマーシャル判定ステップと、
前記コマーシャル判定ステップでコマーシャル番組であると判定された番組が、視聴者の応答を要求する応答番組であるか否かを判定する応答番組判定ステップと、
前記応答番組の応答要求に対する視聴者の応答に対応してポイントを演算し、記録させる記録ステップと
を含むことを特徴とするコンピュータが読み取り可能なプログラムが記録されている記録媒体。
【発明の詳細な説明】
【０００１】
【発明の属する技術分野】
本発明は、情報受信装置および方法、並びに記録媒体に関し、特に、応答番組の応答要求に対する視聴者の応答に対応してポイントを演算し、このポイントを利用することにより、番組を確実に視聴者に視聴させることができるようにした、情報受信装置および方法、並びに記録媒体に関する。
【０００２】
【従来の技術】
最近、テレビジョン放送がデジタル化され、極めて多くのチャンネルの番組が視聴者に提供されるようになってきた。従って、視聴者は、多くの番組の中から所望の番組を選択して視聴することができる。
【０００３】
一方、番組の提供者（放送局）は、所定の商品を宣伝するコマーシャル番組を視聴者に提供し、宣伝するその商品の提供者（製造者または販売者）から、その対価を受け取るようにしている。これにより、視聴者は、無料で番組を視聴することができる。また、商品の提供者は、そのコマーシャル番組で、その提供する商品を視聴者に宣伝することができる。
【０００４】
【発明が解決しようとする課題】
しかしながら、一般的に、視聴者は、コマーシャル番組の放送が開始されると、トイレにいってしまったり、チャンネルを切り替えてしまったりすることが多く、コマーシャル番組の提供者は、その商品を確実に視聴者に宣伝することができない課題があった。
【０００５】
本発明はこのような状況に鑑みてなされたものであり、コマーシャル番組を確実に視聴者に視聴させることができるようにするものである。
【０００６】
【課題を解決するための手段】
請求項１に記載の情報受信装置は、伝送されてくる番組を受信する受信手段と、受信手段が受信した番組が、所定の商品、サービスなどを宣伝するコマーシャル番組であるか否かを判定するコマーシャル判定手段と、コマーシャル判定手段によりコマーシャル番組であると判定された番組が、視聴者の応答を要求する応答番組であるか否かを判定する応答番組判定手段と、応答番組の応答要求に対する視聴者の応答に対応してポイントを演算し、記録させる記録手段とを備えることを特徴とする。
【０００７】
請求項７に記載の情報受信方法は、伝送されてくる番組を受信する受信ステップと、受信ステップで受信した番組が、所定の商品、サービスなどを宣伝するコマーシャル番組であるか否かを判定するコマーシャル判定ステップと、コマーシャル判定ステップでコマーシャル番組であると判定された番組が、視聴者の応答を要求する応答番組であるか否かを判定する応答番組判定ステップと、応答番組の応答要求に対する視聴者の応答に対応してポイントを演算し、記録させる記録ステップとを備えることを特徴とする。
【０００８】
請求項８に記載の記録媒体は、伝送されてくる番組を受信する受信ステップと、受信ステップで受信した番組が、所定の商品、サービスなどを宣伝するコマーシャル番組であるか否かを判定するコマーシャル判定ステップと、コマーシャル判定ステップでコマーシャル番組であると判定された番組が、視聴者の応答を要求する応答番組であるか否かを判定する応答番組判定ステップと、応答番組の応答要求に対する視聴者の応答に対応してポイントを演算し、記録させる記録ステップとを含むことを特徴とするコンピュータが読み取り可能なプログラムを記録することを特徴とする。
【０００９】
請求項１に記載の情報受信装置、請求項７に記載の情報受信方法、および請求項８に記載の記録媒体においては、伝送されてくる番組が受信され、その受信された番組が、所定の商品、サービスなどを宣伝するコマーシャル番組であるか否かが判定され、そのコマーシャル番組であると判定された番組が、視聴者の応答を要求する応答番組であるか否かが判定され、応答番組の応答要求に対する視聴者の応答に対応してポイントが演算されて記録される。
【００１０】
【発明の実施の形態】
以下に本発明の実施の形態を説明するが、特許請求の範囲に記載の発明の各手段と以下の実施の形態との対応関係を明らかにするために、各手段の後の括弧内に、対応する実施の形態（但し一例）を付加して本発明の特徴を記述すると、次のようになる。但し勿論この記載は、各手段を記載したものに限定することを意味するものではない。
【００１１】
請求項１に記載の情報受信装置は、伝送されてくる番組を受信する受信手段（例えば、図１のチューナ２）と、受信手段が受信した番組が、所定の商品、サービスなどを宣伝するコマーシャル番組であるか否かを判定するコマーシャル判定手段（例えば、図２のステップＳ１）と、コマーシャル判定手段によりコマーシャル番組であると判定された番組が、視聴者の応答を要求する応答番組であるか否かを判定する応答番組判定手段（例えば、図２のステップＳ２）と、応答番組の応答要求に対する視聴者の応答に対応してポイントを演算し、記録させる記録手段（例えば、図２のステップＳ５）とを備えることを特徴とする。
【００１２】
請求項２に記載の情報受信装置は、視聴者が応答番組の応答要求に対して応答したか否かを判定する応答判定手段（例えば、図２のステップＳ４）をさらに備えることを特徴とする。
請求項５に記載の情報受信装置は、記録手段の記録内容を伝送する伝送手段（例えば、図１のモデム１１）をさらに備えることを特徴とする。
【００１３】
請求項６に記載の情報受信装置は、受信手段が受信した番組が有料番組であるか否かを判定する有料番組判定手段（例えば、図２のステップＳ８）と、番組が有料番組であるとき、記憶手段に記憶されているポイントに対して課金に関する処理を行う処理手段（例えば、図２のステップＳ１２）とをさらに備えることを特徴とする。
【００１４】
図１は、本発明を適用したデジタルテレビジョン放送受信装置の構成例を表している。チューナ２は、アンテナ１を介して所定のチャンネルのデジタルテレビジョン放送を受信し、その復調信号を出力するようになされている。ＦＥＣ回路３は、チューナ２より供給された信号の誤り訂正を行い、トランスポート回路４に出力するようになされている。トランスポート回路４は、ＦＥＣ回路３より入力された信号から映像データＶ、左右の音声データＡL，ＡR、制御データを分離し、映像および音声データをMPEGデコーダ５に出力するとともに、視聴者の放送受信契約の内容などに関するコンディショナルアクセスに関するデータを含む制御データをコンディショナルアクセスインタフェース９に出力するようになされている。
【００１５】
MPEGデコーダ５は、入力された映像データと音声データをデコードし、ディスプレイプロセッサ６に出力するようになされている。ディスプレイプロセッサ６は、入力された映像データと音声データを処理し、アナログビデオ信号と音声信号に変換して、ディスプレイ７Ａとスピーカ７Ｂに出力するようになされている。
【００１６】
コンディショナルアクセスインタフェース９には、スマートカード１０を装着することができるようになされている。このスマートカード１０には、視聴者の契約内容に関する情報や、有料番組の課金処理に関する情報などが記憶されるようになされている。
【００１７】
マイクロプロセッサ８は、各部を制御し、受信処理を実行させるようになされている。モデム１１は、電話回線を介して各種のデータやコマンドを授受することができるようになされている。
【００１８】
ＩＲ受信部１２は、テンキー３２の他、各種のキーを有するリモートコントローラ３１のＩＲ送信部３３から送信されるＩＲ信号を受信し、その検出信号をマイクロプロセッサ８に出力するようになされている。視聴者は、リモートコントローラ３１の各種のキーを操作して、マイクロプロセッサ８に各種の指令を入力することができる。
【００１９】
次に、図２のフローチャートを参照して、その動作について説明する。視聴者は、番組を視聴するとき、例えば、テンキー３２を操作し、受信するチャンネルを指定する。リモートコントローラ３１のＩＲ送信部３３から、この指定したチャンネルに対応するＩＲ信号が発生される。マイクロプロセッサ８は、ＩＲ受信部１２を介してこの信号を受信すると、指定されたチャンネルの受信をチューナ２に指示する。チューナ２は、指定されたチャンネルの電波を受信して、その復調信号を出力する。ＦＥＣ回路３は、入力されたチャンネルの信号の誤り訂正処理を行った後、そのデータをトランスポート回路４に出力する。
【００２０】
トランスポート回路４は、入力されたデータから制御データを分離し、これをコンディショナルアクセスインタフェース９を介してスマートカード１０に出力する。スマートカード１０は、トランスポート回路４より入力された制御データのうちのコンディショナルアクセスデータを、予め記憶されている視聴者の契約条件と照合し、視聴が許可されている番組であるか否かを判定する。そして、視聴が許可されている番組である場合には、コンディショナルアクセスインタフェース９を介してトランスポート回路４を制御し、ＦＥＣ回路３より入力されたデータに、暗号化、インタリーブなどの処理が行われている場合には、復号化、デインタリーブなどの処理を行わせる。
【００２１】
MPEGデコーダ５は、トランスポート回路４より供給された映像データと音声データをデコードし、ディスプレイプロセッサ６に出力する。ディスプレイプロセッサ６は、入力された映像データと音声データとを処理し、アナログビデオ信号と音声信号に変換して、ディスプレイ７Ａとスピーカ７Ｂに出力する。
【００２２】
このような受信処理が行われているとき、コンディショナルアクセスインタフェース９は、図２のフローチャートに示すような処理を実行する。最初にステップＳ１において、チューナ２が、いま受信している番組がコマーシャル番組であるか否かを判定する。なお、この明細書においては、ドラマ、ニュース、映画などの番組の他、所定の商品、サービスなど（以下、単に、商品という）を視聴者に宣伝するコマーシャルも番組の１つとして説明する。
【００２３】
いま受信している番組がコマーシャル番組である場合には、ステップＳ２に進み、コンディショナルアクセスインタフェース９は、そのコマーシャル番組が、視聴者に対して応答を要求する番組であるか否かを判定する。コマーシャル番組が応答要求番組であるか否かは、番組の送出側において、応答要求番組であるか否かを示すフラグを送出するようにすれば、受信側において、このフラグから判定することができる。コンディショナルアクセスインタフェース９は、いま受信している番組が応答要求番組である場合には、ステップＳ３において、スマートカード１０の内蔵するメモリに、いま受信しているコマーシャル番組のＩＤを記憶させる。
【００２４】
応答要求番組においては、商品を宣伝する画像が表示された後、例えば、図３に示すように、「この商品がお好きな方は番号５を押して下さい」のようなメッセージが表示される。視聴者は、このメッセージに応答する場合、リモートコントローラ３１のテンキー３２のうちの番号５のキーを操作する。リモートコントローラ３１のＩＲ送信部３３から、この番号５のキーに対応する信号がＩＲ信号として出力される。この信号は、ＩＲ受信部１２で受信され、マイクロプロセッサ８に、その検出信号が供給される。マイクロプロセッサ８は、この検出信号が入力されたとき、番号５のキーが操作されたことを示す信号をコンディショナルアクセスインタフェース９に出力する。
【００２５】
コンディショナルアクセスインタフェース９は、ステップＳ４において、マイクロプロセッサ８からの信号をモニタすることにより、視聴者は、コマーシャル番組の応答要求に対応して、応答を行ったか否かを判定する。応答を行ったと判定した場合には、ステップＳ５に進み、コンディショナルアクセスインタフェース９は、スマートカード１０に記憶されているポイントに所定の値を加算させる。視聴者が、コマーシャル番組の応答要求に対して応答しない場合には、ステップＳ５のポイント加算処理はスキップされる。なお、場合によっては、視聴者が応答要求に対して応答しない場合には、ポイントを加算しないだけでなく、積極的にポイントを減算するようにすることもできる。
【００２６】
次にステップＳ６に進み、コンディショナルアクセスインタフェース９は、視聴者の応答内容をスマートカード１０に記録させる。ステップＳ７では、コマーシャル番組における応用要求が終了したか否かが判定され、終了していない場合には、ステップＳ４に戻り、それ以降の処理が繰り返し実行される。応答要求が終了したと判定された場合、ステップＳ１に戻り、それ以降の処理が繰り返し実行される。
【００２７】
このほか、例えば、コマーシャル番組の中で、その商品に関する応答の操作をした視聴者の年齢の入力を要求したり、好みの色を選択入力させたりして、いわゆるアンケートに対して回答させ、その応答結果をスマートカード１０に記録させることができる。
【００２８】
ステップＳ１において、いま受信している番組がコマーシャル番組ではないと判定した場合、コンディショナルアクセスインタフェース９はステップＳ８に進み、いま受信している番組が有料番組であるか否かを判定する。いま受信している番組が有料番組ではない場合、ステップＳ１に戻る。従って、無料の通常の番組が放送されている場合には、ステップＳ１とステップＳ８の処理が繰り返し実行されることになる。
【００２９】
ステップＳ８において、いま受信しているのが有料番組であると判定された場合、ステップＳ９に進み、コンディショナルアクセスインタフェース９は、スマートカード１０に現在記憶されているポイントを読み出させ、例えば、図４に示すように、「このポイントを有料放送の支払いに利用しますか？」のようなメッセージとともに、ディスプレイ７Ａに表示させる。視聴者は、ステップＳ１０で、現在のポイントを有料放送の支払いに利用するか否かを判断し、利用する場合には、ステップＳ１１において、リモートコントローラ３１のテンキー３２のうち、ＹＥＳに対応する番号１のキーを操作し、有料放送の支払いに利用しない場合には、ステップＳ１４において、ＮＯに対応する番号３のキーを操作する。
【００３０】
ポイントを有料放送の支払いに利用するとの入力がなされた場合には、ステップＳ１２において、現在のポイントから有料放送の料金に対応するポイントを相殺する処理が実行される。すなわち、コンディショナルアクセスインタフェース９は、スマートカード１０に記憶されている現在のポイントから、いま視聴しようとしている有料放送の料金に対応するポイントの分だけ減算させる。例えば、現在のポイントが２５０点であり、その番組料金に対応するポイントが５０点である場合、新たなポイントは２００点とされ、その番組の料金に対応するポイントが３００点である場合、新たなポイントは−５０点とされる。
【００３１】
次にステップＳ１３で、更新後のポイントが０より大きいか否かが判定され、大きい場合、ステップＳ１５の課金処理が行われず、ステップＳ１に戻る。
【００３２】
更新後のポイントが０より大きくない場合（負である場合）、またはステップＳ１４の処理の次にステップＳ１５に進み、有料番組の料金に対する課金処理が実行される。このとき、コンディショナルアクセスインタフェース９は、ステップＳ１４において、ポイントを有料放送の支払いに利用しないとの入力がなされている場合には、通常の課金処理を実行する。すなわち、いま視聴している有料放送の番組の料金を、スマートカード１０に記憶されている、それまでの受信料金に加算する。これに対して、ポイントによる有料放送の料金の相殺が行われ、更新後のポイントがマイナスである場合には、そのマイナスのポイントに対応する分だけ料金の加算が行われる。
【００３３】
以上のようにして、視聴者は、コマーシャル番組の応答要求に対して応答するとポイントが加算され、その加算されたポイントの分だけ、有料番組を安く視聴することができるようになる。
【００３４】
このようなサービスは、コマーシャル番組おける応答要求に対して応答しない限り受けることができない。例えば、コマーシャル番組を単に見ているだけ、あるいはビデオテープに録画しているだけでは、このサービスを受けることができなう。しかも、応答要求は、コマーシャル番組の中でいつ行われるか不明であるため、視聴者は、コマーシャル番組を始めから終わりまで視聴しない限り、このサービスを受けることができないことになる。その結果、コマーシャル番組の提供者は、コマーシャル番組を視聴者に確実に視聴させることができることになる。
【００３５】
次に、図５のフローチャートを参照して、有料番組の課金処理について説明する。番組提供者は、ステップＳ３１において、所定の視聴者のスマートカード１０に記憶されている課金データの読み出しを指令する。この指令は、例えば、所定の視聴者を特定するＩＤを放送することで行ったり、電話回線を介して行うことができる。電波を介して課金データの読み出しを指令した場合、トランスポート回路４を介してコンディショナルアクセスインタフェース９に、その読み出し指令が供給される。電話回線を介して、この読み出し指令が出力された場合、モデム１１からマイクロプロセッサ８に、この指令が入力される。マイクロプロセッサ８は、この指令をコンディショナルアクセスインタフェース９に出力する。
【００３６】
コンディショナルアクセスインタフェース９は、このようにして、課金データ読み出しが指令されると、スマートカード１０に記憶されている、それまでの課金データを読み出し、これをマイクロプロセッサ８に出力する。マイクロプロセッサ８は、課金データの入力を受けるとモデム１１を制御し、電話回線を介して読み出し指令者にこれを伝送させる。番組提供者側においては、ステップＳ３２において、この課金データを受信する。そして、ステップＳ３３において、受信した課金データに対応する課金処理を実行する。例えば、課金データに対応する請求書をその視聴者に発行したり、クレジットカードによる決裁処理を行う。
【００３７】
また、番組提供者は、図６のフローチャートに示すような処理を行うことにより、スマートカード１０に記録された応答データを収集することができる。最初にステップＳ４１において、応答データ読み出し指令が所定の視聴者に出力される。この読み出し指令は、図５のステップＳ３１の課金データ読み出し指令と同様に、電波または電話回線を介して出力することができる。この指令に対応して、受信側においては、コンディショナルアクセスインタフェース９が、スマートカード１０に記憶されている応答データ（図２のステップＳ６で記録されたデータ）を読み出し、これをマイクロプロセッサ８に出力する。マイクロプロセッサ８は、モデム１１を制御し、この応答データを電話回線を介してコマーシャル番組提供者に伝送させる。コマーシャル番組提供者側においては、ステップＳ４２で、この応答データを受信する。そして、ステップＳ４３において、ステップＳ４２で受信した応答データを処理する。
【００３８】
上述したように、この応答データには、コマーシャル番組を介して行ったアンケートの結果が含まれている。そこで、コマーシャル番組提供者は、このアンケートに対する回答を分析することで、そのコマーシャル番組を視聴した世帯数の他、その商品に対して興味をもっている視聴者の年代、男性女性の区別、といった細かいデータを得ることができる。また、アンケートの内容によっては、最近の視聴者の嗜好、傾向なども分析することができる。このような情報は、番組提供者側において、新たな商品の開発に利用したり、必要に応じて、その情報そのものを第三者に提供することもできる。
【００３９】
なお、このようなデータ収集は、課金処理と同時に行うようにしてもよい。
【００４０】
コマーシャル番組提供者は、このように、コマーシャル番組を確実に、視聴者に視聴させることができるだけでなく、応答データを収集し、分析することができる。
【００４１】
上記処理例においては、ポイントを有料番組の料金に充足させるようにしたが、例えば、商品を視聴者にプレゼントするようにすることもできる。図７は、この場合の処理例を表している。
【００４２】
最初にステップＳ５１において、視聴者は、リモートコントローラ３１の所定のキーを操作して、スマートカード１０に記憶されている現在のポイントの読み出しを指令する。コンディショナルアクセスインタフェース９は、マイクロプロセッサ８を介してこのポイント読み出しの指令が入力されたとき、ステップＳ５２において、スマートカード１０に記憶されているポイントを読み出し、ディスプレイ７Ａに、例えば、図８に示すように表示させる。このとき、ポイントと、そのポイントによりプレゼント受けることができる商品が表示される。図８の表示例においては、ポイント数が１２５点であり、このポイントで選択できる商品は、カメラ、ビデオデッキ、またはＣＤプレーヤであることが表示されている。
【００４３】
視聴者は、この表示を見て、ステップＳ５３で、所望の商品を選択する。例えば、図８の表示例では、カメラを希望する場合、リモートコントローラ３１のテンキー３２のうち番号１のキーを操作し、ビデオデッキを希望する場合、番号２のキーを操作し、ＣＤプレーヤを希望する場合、番号３のキーを操作する。
【００４４】
コンディショナルアクセスインタフェース９は、マイクロプロセッサ８を介して商品を選択する信号が入力されたとき、ステップＳ５４において、その選択された商品が、視聴者により希望されたことを示すデータを送出する処理を実行する。すなわち、このとき、コンディショナルアクセスインタフェース９は、マイクロプロセッサ８を制御し、このデータをモデム１１から電話回線を介して、コマーシャル番組提供者に送出させる。コマーシャル番組提供者は、このデータの送出を受けたとき、その視聴者にその商品を配送する処理を行う。
【００４５】
このほか、例えば、スマートカード１０に記憶されているポイントを、各種商品の販売店において、クーポンに変換してもらい、その販売店において販売している所望の商品を、視聴者が購入するのに利用してもらうようにすることもできる。
【００４６】
上記実施の形態においては、モデム１１を利用して電話回線を介して、番組提供者側とデータを授受するようにしたが、双方向のチャンネルを有するケーブルテレビジョンシステムなどにおいては、上り方向のチャンネルを利用して、データを番組提供者側に伝送するようにすることができる。
【００４７】
また、ポイントをスマートカード１０に記録するようにしたが、上り方向のチャンネルがある場合、放送局側でポイントを記録するようにしてもよい。
【００４８】
スマートカード１０としては、ＰＣＭＣＩＡ（Personal Computer Memory Card International Association）のカード、その他のカードを用いることができる。
【００４９】
また、上記実施の形態においては、コマーシャル番組で視聴者に対して応答を要求するようにしたが、この番組は、コマーシャル番組に限らず、各種の番組とすることも可能である。
【００５０】
以上、本発明をデジタルテレビジョン信号受信装置に応用した場合を例として説明したが、本発明は、その他の情報受信装置にも応用することが可能である。
【００５１】
【発明の効果】
以上の如く、請求項１に記載の情報受信装置、請求項７に記載の情報受信方法、および請求項８に記載の記録媒体によれば、応答番組の応答要求に対する視聴者の応答に対応してポイントを演算し、そのポイントを記録するようにしたので、視聴者に、確実に番組を視聴させることができるとともに、視聴者側においても、このポイントを利用して、より低料金で番組の提供を受けるようなことが可能となる。
【図面の簡単な説明】
【図１】本発明を適用したデジタルテレビジョン信号受信装置の構成例を示すブロック図である。
【図２】図１の実施の形態の動作を説明するフローチャートである。
【図３】図１のディスプレイ７Ａにおける表示例を示す図である。
【図４】図１のディスプレイ７Ａにおける表示例を示す図である。
【図５】図１の実施の形態の課金処理を説明するフローチャートである。
【図６】図１の実施の形態の応答データ処理を説明するフローチャートである。
【図７】図１の実施の形態の商品選択処理を説明するフローチャートである。
【図８】図７のステップＳ５２における表示例を示す図である。
【符号の説明】
２  チューナ，  ４  トランスポート回路，  ７Ａ  ディスプレイ，  ８  マイクロプロセッサ，  ９  コンディショナルアクセスインタフェース，  １０  スマートカード，  １１  モデム，  １２  ＩＲ受信部，  ３１  リモートコントローラ，  ３２  テンキー，  ３３  ＩＲ送信部
【図１】
0003924847.tif 000002
【図２】
0003924847.tif 000003
【図３】
0003924847.tif 000004
【図４】
0003924847.tif 000005
【図５】
0003924847.tif 000006
【図６】
0003924847.tif 000007
【図７】
0003924847.tif 000008
【図８】
0003924847.tif 000009